(57)【要約】【課題】      ユーザーに応じた情報を迅速に表示させることができる情報提供装置を提供する。【解決手段】  端末装置２０ａ〜２０ｄからＷｅｂサイト識別情報と会員識別情報が送信された時、当該Ｗｅｂサイト識別情報に対応するＷｅｂサイトに掲載されている情報が少なくとも第１及び第２の部分情報により構成されている場合には、情報管理装置１０は、当該会員識別情報に対応する会員が当該Ｗｅｂサイト識別情報に対応するＷｅｂサイトへアクセスした履歴に基づいて、第１あるいは第２の部分情報を抽出して、抽出した第１あるいは第２の部分情報を端末装置２０ａ〜２０ｄに送信する。端末装置２０ａ〜２０ｄは、情報管理装置１０から送信された部分情報を受信して表示手段に表示する。【選択図】    図１
2005267229.tif 000002
【特許請求の範囲】
【請求項１】
Ｗｅｂサイト情報処理手段と、記憶手段と、情報受信手段とを備え、
前記記憶手段は、Ｗｅｂサイトに掲載する情報を当該Ｗｅｂサイトを示すＷｅｂサイト識別情報に対応させて記憶する情報データベースと、Ｗｅｂサイト識別情報と会員識別情報を対応させたアクセス履歴情報を記憶するアクセス履歴情報データベースとを有し、
前記情報データベースに記憶されている、Ｗｅｂサイトに掲載する情報の少なくとも一つは、少なくとも第１及び第２の部分情報により構成されており、
前記Ｗｅｂサイト情報処理手段は、
前記情報受信手段から送信されたＷｅｂサイト識別情報と会員識別情報を受信するＷｅｂサイト受信手段と、
前記情報データベースにアクセスし、前記Ｗｅｂサイト受信手段で受信したＷｅｂサイト識別情報で示されるＷｅｂサイトに掲載する情報が少なくとも第１及び第２の部分情報により構成されているか否かを判別する部分情報判別手段と、
前記部分情報判別手段が、前記Ｗｅｂサイト受信手段で受信した前記Ｗｅｂサイト識別情報で示されるＷｅｂサイトに掲載する情報が少なくとも第１及び第２の部分情報により構成されていないことを判別した場合には、前記受信したＷｅｂサイト識別情報で示されるＷｅｂサイトに掲載する情報を前記情報データベースから読み出し、読み出した情報を当該受信したＷｅｂサイト識別情報を送信した情報受信手段に送信し、前記部分情報判別手段が、前記Ｗｅｂサイト識別情報で示されるＷｅｂサイトに掲載する情報が少なくとも第１及び第２の部分情報により構成されていることを判別した場合には、前記Ｗｅｂサイト受信手段で受信した会員識別情報で示される会員の前記受信したＷｅｂサイト識別情報で示されるＷｅｂサイトへのアクセス履歴情報を前記アクセス履歴情報データベースから読み出し、読み出したアクセス履歴情報が一定条件を満たすときには第２の部分情報を、一定条件を満たさないときには第１の部分情報を前記情報データベースから読み出し、読み出した第１あるいは第２の部分情報を当該受信したＷｅｂサイト識別情報を送信した情報受信手段に送信するＷｅｂサイト送信手段を有し、
前記情報受信手段は、
入力されたＷｅｂサイト識別情報と会員識別情報を前記Ｗｅｂサイト情報処理手段に送信する送信手段と、
前記Ｗｅｂサイト情報処理手段から送信された情報または第１あるいは第２の部分情報を受信する受信手段と、
前記受信手段で受信した情報または第１あるいは第２の部分情報を表示する表示手段を有する、
情報提供装置。
【請求項２】
請求項１に記載の情報提供装置であって、
前記Ｗｅｂサイト情報処理手段は、前記受信した会員識別情報と前記受信したＷｅｂサイト識別情報を対応させたアクセス履歴情報を前記アクセス履歴情報データベースに記憶するアクセス履歴情報更新手段を有する情報提供装置。
【請求項３】
メール処理手段と、Ｗｅｂサイト情報処理手段と、記憶手段と、情報受信手段とを備え、
前記記憶手段は、会員のメールアドレスを含む会員情報を会員識別情報に対応させて記憶する会員情報データベースと、Ｗｅｂサイトに掲載する情報、送信条件及び送信先選択条件を当該Ｗｅｂサイトを示すＷｅｂサイト識別情報に対応させて記憶する情報データベースと、Ｗｅｂサイト識別情報と会員識別情報を対応させたアクセス履歴情報を記憶するアクセス履歴情報データベースを有し、
前記情報データベースに記憶されている、Ｗｅｂサイトに掲載する情報の少なくとも一つは、少なくとも第１及び第２の部分Ｗｅｂサイトに掲載される第１及び第２の部分情報により構成されており、前記情報データベースには、前記第１の部分情報と前記第１の部分Ｗｅｂサイトを示す第１の部分Ｗｅｂサイト識別情報及び前記第２の部分情報と前記第２の部分Ｗｅｂサイトを示す第２の部分Ｗｅｂサイト識別情報が前記少なくとも一つの情報を掲載するＷｅｂサイトを示すＷｅｂサイト識別情報に対応させて記憶されており、
前記メール処理手段は、
前記情報データベースにアクセスし、送信条件を満たしているＷｅｂサイト識別情報があるか否かを判別し、送信条件を満たしているＷｅｂサイト識別情報がある場合には、当該Ｗｅｂサイト識別情報に対応して少なくとも第１及び第２の部分Ｗｅｂサイト識別情報が前記情報データベースに記憶されているか否かを判別する部分情報判別手段と、
前記部分情報判別手段が、前記送信条件を満たしているＷｅｂサイト識別情報に対応して少なくとも第１及び第２の部分Ｗｅｂサイト識別情報が前記情報データベースに記憶されていないことを判別した場合には、当該Ｗｅｂサイト識別情報に対応する送信先選択条件を前記情報データベースから読み出し、読み出した送信先選択条件を満足する会員情報を有する会員のメールアドレスを前記会員情報データベースから抽出し、抽出したメールアドレスを有する情報受信手段に前記Ｗｅｂサイト識別情報を含むメールを送信し、前記部分情報判別手段が、前記送信条件を満たしているＷｅｂサイト識別情報に対応して少なくとも第１及び第２の部分Ｗｅｂサイト識別情報が前記情報データベースに記憶されていることを判別した場合には、当該Ｗｅｂサイト識別情報に対応する送信先選択条件を前記情報データベースから読み出し、読み出した送信先選択条件を満足する会員情報を有する会員のメールアドレスと会員識別情報を前記会員情報データベースから抽出し、抽出した会員識別情報で示される会員の、前記送信条件を満たしているＷｅｂサイト識別情報に対応するアクセス履歴情報を前記アクセス履歴情報データベースから読み出し、読み出したアクセス履歴情報が一定条件を満たすときには前記送信条件を満たしているＷｅｂサイト識別情報の第２の部分Ｗｅｂサイト識別情報を、一定条件を満たしていないときには第１の部分Ｗｅｂサイト識別情報を前記情報データベースから読み出し、読み出した第１の部分Ｗｅｂサイト識別情報あるいは第２の部分Ｗｅｂサイト識別情報を含むメールを前記抽出したメールアドレスを有する情報受信手段に送信するメール送信手段を有し、
前記Ｗｅｂサイト情報処理手段は、
前記情報受信手段から送信されたＷｅｂサイト識別情報または第１あるいは第２の部分Ｗｅｂサイト識別情報と会員識別情報を受信するＷｅｂサイト受信手段と、
前記Ｗｅｂサイト受信手段で受信したＷｅｂサイト識別情報で示されるＷｅｂサイトに掲載する情報または第１あるいは第２の部分Ｗｅｂサイト識別情報で示される第１あるいは第２の部分Ｗｅｂサイトに掲載する第１あるいは第２の部分情報を前記情報データベースから読み出し、読み出した情報または第１あるいは第２の部分情報を前記Ｗｅｂサイト識別情報または第１あるいは第２の部分Ｗｅｂサイト識別情報を送信した情報受信手段に送信するＷｅｂサイト送信手段を有し、
前記情報受信手段は、
前記メール処理手段から送信された、自己に設定されているメールアドレス宛のメールを受信し、また、前記Ｗｅｂサイト情報処理手段から送信された情報または第１あるいは第２の部分情報を受信する受信手段と、
前記受信手段で受信したメールに含まれているＷｅｂサイト識別情報または第１あるいは第２の部分Ｗｅｂサイト識別情報が選択されると、選択されたＷｅｂサイト識別情報または第１あるいは第２の部分Ｗｅｂサイト識別情報とともに入力された会員識別情報を前記Ｗｅｂ情報処理手段に送信する送信手段と、
前記受信手段で受信した情報または第１あるいは第２の部分情報を表示する表示手段を有する、
情報提供装置。
【請求項４】
請求項３に記載の情報提供装置であって、
前記Ｗｅｂサイト情報処理手段は、前記受信した会員識別情報と前記受信したＷｅｂサイト識別情報または第１あるいは第２の部分Ｗｅｂサイト識別情報に対応するＷｅｂサイト識別情報を対応させたアクセス履歴情報を前記アクセス履歴情報データベースに記憶するアクセス履歴情報更新手段を有する情報提供装置。
【発明の詳細な説明】
【技術分野】
【０００１】
本発明は、Ｗｅｂサイトに掲載されている広告情報等の情報を携帯電話機等の端末装置に送信する情報提供装置に関する。
【背景技術】
【０００２】
近年、インターネットに接続可能な携帯電話機やパソコン等の端末装置の普及により、これらの端末装置で広告情報を受信可能な情報提供装置が開発されている。この情報提供装置では、情報提供サービス会社は、情報提供者（店舗や会社等）から提供される広告情報を掲載するＷｅｂサイトを設け、ユーザー（消費者や利用者等）が端末装置を用いてＷｅｂサイトにアクセスすると、Ｗｅｂサイトに掲載している広告情報を端末装置に送信する。これにより、ユーザーは、所望の広告情報を受信（閲覧）することができる（特許文献１参照）。本明細書では、一群のＷｅｂページを「Ｗｅｂサイト」という。Ｗｅｂサイトは、1以上のＷｅｂページにより構成することができる。
また、ＷｅｂサイトＩＤ（通常、Ｗｅｂサイトを構成するＷｅｂページのトップページのアドレス）を含んだメールを各ユーザーのメールアドレスに送信することによって、広告情報を掲載しているＷｅｂサイトを案内する広告方法も用いられている。
【特許文献１】特開２００１−１７５７５３号公報
【発明の開示】
【発明が解決しようとする課題】
【０００３】
広告情報を掲載しているＷｅｂサイトでは、例えば、第１頁（トップページ）には店舗（情報提供者）の紹介等の情報（情報提供者を認知するための情報）が掲載されている。そして、２ページ以降に店舗の場所、電話番号、メニュー、割引クーポン等の情報等（情報提供者を活用するための情報）が掲載されている。
従来の情報提供装置では、ユーザーが端末装置を用いてＷｅｂサイトをアクセスするとＷｅｂサイトのトップページが表示される。
ところが、例えば、過去に、店舗のＷｅｂサイトをアクセスしたことがあり、店舗を認知しているユーザーが、メニューを見ることや割引クーポン券を取得することを目的として当該Ｗｅｂサイトにアクセスする場合も、まず、トップページが表示される。この場合、ユーザーは、不要なトップページの情報が表示された後、必要な情報を表示させるために所定の操作を行う必要がある。例えば、トップページに掲載されている「次ページキー」等を選択する。このため、過去に店舗のＷｅｂサイトをアクセスしたことがあるユーザーにとっては、所望の情報が表示されるまでに時間がかかると感じる。
そこで、本発明が解決しようとする課題は、ユーザーに応じた情報を迅速に表示させることができる情報提供装置を提供することである。
【課題を解決するための手段】
【０００４】
前記課題を解決する本発明の第１発明は、請求項１に記載されたとおりの情報提供装置である。
請求項１に記載の情報提供装置は、Ｗｅｂサイト情報処理手段と、記憶手段と、情報受信手段とを備えている。
記憶手段は、情報データベースと、アクセス履歴データベースとを有している。情報データベースは、Ｗｅｂサイトに掲載する情報を当該Ｗｅｂサイトを示すＷｅｂサイト識別情報に対応させて記憶している。また、アクセス履歴データベースはＷｅｂサイト識別情報と会員識別情報を対応させたアクセス履歴情報を記憶している。そして、情報データベースに記憶されている、Ｗｅｂサイトに掲載する情報の少なくとも一つは、少なくとも第１及び第２の部分情報により構成されている。
また、Ｗｅｂサイト情報処理手段は、Ｗｅｂサイト受信手段と、部分情報判別手段と、Ｗｅｂサイト送信手段とを有している。Ｗｅｂサイト受信手段は、情報受信手段から送信されたＷｅｂサイト識別情報と会員識別情報を受信する。また、部分情報判別手段は、情報データベースにアクセスし、Ｗｅｂサイト受信手段で受信したＷｅｂサイト識別情報で示されるＷｅｂサイトに掲載する情報が少なくとも第１及び第２の部分情報により構成されているか否かを判別する。また、Ｗｅｂサイト送信手段は、部分情報判別手段が、Ｗｅｂサイト受信手段で受信したＷｅｂサイト識別情報で示されるＷｅｂサイトに掲載する情報が少なくとも第１及び第２の部分情報により構成されていないことを判別した場合には、受信したＷｅｂサイト識別情報で示されるＷｅｂサイトに掲載する情報を情報データベースから読み出し、読み出した情報を当該受信したＷｅｂサイト識別情報を送信した情報受信手段に送信し、部分情報判別手段が、Ｗｅｂサイト識別情報で示されるＷｅｂサイトに掲載する情報が少なくとも第１及び第２の部分情報により構成されていることを判別した場合には、Ｗｅｂサイト受信手段で受信した会員識別情報で示される会員の、受信したＷｅｂサイト識別情報で示されるＷｅｂサイトへのアクセス履歴情報をアクセス履歴情報データベースから読み出し、読み出したアクセス履歴情報が一定条件を満たすときには第２の部分情報を、一定条件を満たさないときには第１の部分情報を情報データベースから読み出し、読み出した第１あるいは第２の部分情報を当該受信したＷｅｂサイト識別情報を送信した情報受信手段に送信する。
また、情報受信手段は、送信手段と受信手段と表示手段とを有している。送信手段は入力されたＷｅｂサイト識別情報と会員識別情報をＷｅｂサイト情報処理手段に送信する。また、受信手段はＷｅｂサイト情報処理手段から送信された情報または第１あるいは第２の部分情報を受信する。また、表示手段は受信手段で受信した情報または第１あるいは第２の部分情報を表示する。
「Ｗｅｂサイト識別情報」としては、Ｗｅｂサイトのアドレスや、タイトル等種々の識別情報を用いることができる。
また、「会員識別情報」としては、会員ＩＤ、会員のメールアドレス、氏名等の種々の識別情報を用いることができる。
また、「部分情報」とは、Ｗｅｂサイトに掲載されている情報の一部分や、複数頁により構成されているＷｅｂサイトの一部の頁に掲載されている情報等を表している。
また、Ｗｅｂサイト識別情報と会員識別情報を対応させたアクセス履歴情報を記憶するアクセス履歴データベースには、少なくとも、アクセスされたＷｅｂサイトのＷｅｂサイト識別情報とアクセスした会員の会員識別情報が記憶されている。また、アクセスされた日時等、他の情報が含まれていてもよい。また、会員情報等を会員識別情報に対応させて記憶する会員情報データベースが設けられている場合、Ｗｅｂサイトへのアクセス履歴は、会員情報データベースに記憶させてもよい。すなわち、アクセス履歴情報データベースは会員情報データベースに含まれていても良い。
また、情報受信手段としては、ＰＣや携帯電話機等の、Ｗｅｂサイトを閲覧することができる種々の機器を用いることができる。
また、本発明の第２発明は、請求項２に記載されたとおりの情報提供装置である。
請求項２に記載の情報提供装置では、請求項１に記載のＷｅｂサイト情報処理手段は、アクセス履歴情報更新手段を有する。アクセス履歴情報更新手段は、受信した会員識別情報と受信したＷｅｂサイト識別情報を対応させたアクセス履歴情報をアクセス履歴情報データベースに記憶する。
また、本発明の第３発明は、請求項３に記載されたとおりの情報提供装置である。
請求項３に記載の情報提供装置は、メール処理手段と、Ｗｅｂサイト情報処理手段と、記憶手段と、情報受信手段とを備えている。
記憶手段は、会員情報データベースと、情報データベースと、アクセス履歴情報データベースを有している。会員情報データベースは会員のメールアドレスを含む会員情報を会員識別情報に対応させて記憶する。また、情報データベースはＷｅｂサイトに掲載する情報、送信条件及び送信先選択条件を当該Ｗｅｂサイトを示すＷｅｂサイト識別情報に対応させて記憶する。また、アクセス履歴情報データベースはＷｅｂサイト識別情報と会員識別情報を対応させたアクセス履歴情報を記憶する。そして、情報データベースに記憶されている、Ｗｅｂサイトに掲載する情報の少なくとも一つは、少なくとも第１及び第２の部分Ｗｅｂサイトに掲載される第１及び第２の部分情報により構成されており、情報データベースには、第１の部分情報と第１の部分Ｗｅｂサイトを示す第１の部分Ｗｅｂサイト識別情報及び第２の部分情報と第２の部分Ｗｅｂサイトを示す第２の部分Ｗｅｂサイト識別情報が少なくとも一つの情報を掲載するＷｅｂサイトを示すＷｅｂサイト識別情報に対応させて記憶されている。
また、メール処理手段は、部分情報判別手段と、メール送信手段を有している。部分情報判別手段は、情報データベースにアクセスし、送信条件を満たしているＷｅｂサイト識別情報に対応して少なくとも第１及び第２の部分Ｗｅｂサイト識別情報が情報データベースに記憶されているか否かを判別する。また、メール送信手段は、部分情報判別手段が、送信条件を満たしているＷｅｂサイト識別情報に対応して少なくとも第１及び第２の部分Ｗｅｂサイト識別情報が情報データベースに記憶されていないことを判別した場合には、当該Ｗｅｂサイト識別情報及び当該Ｗｅｂサイト識別情報に対応する送信先選択条件を情報データベースから読み出し、読み出した送信先選択条件を満足する会員情報を有する会員のメールアドレスを会員情報データベースから抽出し、抽出したメールアドレスを有する情報受信手段に読み出したＷｅｂサイト識別情報を含むメールを送信し、部分情報判別手段が、送信条件を満たしているＷｅｂサイト識別情報に対応して少なくとも第１及び第２の部分Ｗｅｂサイト識別情報が情報データベースに記憶されていることを判別した場合には、当該Ｗｅｂサイト識別情報及び当該Ｗｅｂサイト識別情報に対応する送信先選択条件を情報データベースから読み出し、読み出した送信先選択条件を満足する会員情報を有する会員のメールアドレスと会員識別情報を会員情報データベースから抽出し、抽出した会員識別情報で示される会員の、送信条件を満たしているＷｅｂサイト識別情報に対応するアクセス履歴情報をアクセス履歴情報データベースから読み出し、読み出したアクセス履歴情報が一定条件を満たすときには送信条件を満たしているＷｅｂサイト識別情報の第２の部分Ｗｅｂサイト識別情報を、一定条件を満たしていないときには第１の部分Ｗｅｂサイト識別情報を情報データベースから読み出し、読み出した第１の部分Ｗｅｂサイト識別情報あるいは第２の部分Ｗｅｂサイト識別情報を含むメールを抽出したメールアドレスを有する情報受信手段に送信する。
また、Ｗｅｂサイト情報処理手段は、Ｗｅｂサイト受信手段と、Ｗｅｂサイト送信手段
を有している。Ｗｅｂサイト受信手段は、情報受信手段から送信されたＷｅｂサイト識別情報または第１あるいは第２の部分Ｗｅｂサイト識別情報と会員識別情報を受信する。Ｗｅｂサイト送信手段は、Ｗｅｂサイト受信手段で受信したＷｅｂサイト識別情報で示されるＷｅｂサイトに掲載する情報または第１あるいは第２の部分Ｗｅｂサイト識別情報で示される第１あるいは第２の部分Ｗｅｂサイトに掲載する第１あるいは第２の部分情報を情報データベースから読み出し、読み出した情報または第１あるいは第２の部分情報をＷｅｂサイト識別情報または第１あるいは第２の部分Ｗｅｂサイト識別情報を送信した情報受信手段に送信する。
また、情報受信手段は、受信手段と、送信手段と、表示手段を有している。受信手段は、メール処理手段から送信された、自己に設定されているメールアドレス宛のメールを受信し、また、Ｗｅｂサイト情報処理手段から送信された情報または第１あるいは第２の部分情報を受信する。送信手段は、受信手段で受信したメールに含まれているＷｅｂサイト識別情報または第１あるいは第２の部分Ｗｅｂサイト識別情報が選択されると、選択されたＷｅｂサイト識別情報または第１あるいは第２の部分Ｗｅｂサイト識別情報とともに入力された会員識別情報をＷｅｂ情報処理手段に送信する。表示手段は、受信手段で受信した情報または第１あるいは第２の部分情報を表示する。
「部分Ｗｅｂサイト識別情報」としては、例えば、Ｗｅｂサイトを構成するページのアドレスを用いることができる。
また、本発明の第４発明は、請求項４に記載されたとおりの情報提供装置である。
請求項４に記載の情報提供装置では、請求項３に記載のＷｅｂサイト情報処理手段は、アクセス履歴情報更新手段を有する。アクセス履歴情報更新手段は、受信した会員識別情報と受信したＷｅｂサイト識別情報または第１あるいは第２の部分Ｗｅｂサイト識別情報に対応するＷｅｂサイト識別情報を対応させたアクセス履歴情報をアクセス履歴情報データベースに記憶する。
【発明の効果】
【０００５】
請求項１に記載の情報提供装置を用いれば、会員がＷｅｂサイトにアクセスした際、Ｗｅｂサイトに掲載されている情報が複数の部分情報から構成されている場合、会員が、当該Ｗｅｂサイトへアクセスした履歴に対応する部分情報が選択される。これにより、会員は自己のアクセス履歴に応じた部分情報を迅速に受信することができる。例えば、Ｗｅｂサイトのトップページに店舗の紹介等の“認知のための情報”が掲載され、２ページ目以降に店舗の住所や電話番号等の“活用のための情報”が掲載されている場合、会員が当該Ｗｅｂサイトに１回目にアクセスすると、まず、トップページの“認知のための情報”が表示され、２回目にアクセスすると、まず、２ページ目の“活用のための情報”が表示される。
このように、Ｗｅｂサイトのトップページに掲載されている情報の受信（閲覧）が不要な会員に対しては、トップページを送信しないため、会員の情報受信費用が軽減される。
また、請求項２に記載の情報提供装置を用いれば、アクセス履歴情報が自動的に記憶される。
また、請求項３に記載の情報提供装置を用いれば、会員にメール（案内メール）を送信する際に、会員のアクセス履歴に基づいて、抽出した第１あるいは第２の部分Ｗｅｂサイト識別情報を含ませる。これにより、会員は、自己のアクセス履歴に応じた情報を迅速に受信することができ、また、情報受信費用が軽減される。さらに、会員に不要な情報を送信する必要がないため、情報提供装置の処理が軽減される。
また、請求項４に記載の情報提供装置を用いれば、アクセス履歴情報が自動的に記憶される。
【発明を実施するための最良の形態】
【０００６】
（第１の実施の形態）
以下に、本発明の第１の実施の形態を図面を参照して説明する。
本実施の形態の情報提供装置は、請求項１に記載の情報提供装置に相応し、さらに、後述するメール処理手段を有している。メール処理手段は、会員の端末装置に、Ｗｅｂサイト情報のトップページのＷｅｂサイトＩＤを含むメール（案内メール）を送信する。そして、メールを閲覧した会員は、メールに含まれているＷｅｂサイトＩＤを選択してＷｅｂサイトにアクセスする。このようにして、会員からのアクセスがあった場合、情報提供装置は、選択されたＷｅｂサイトへの会員のアクセス履歴に基づいて、会員がＷｅｂサイトへ前回アクセスしてから所定期間（例えば、３ヶ月）以上経過していなければ、Ｗｅｂサイトの２ページ目に掲載されている部分情報を、所定期間以上経過していれば、Ｗｅｂサイトの１ページ目に掲載されている部分情報を送信する場合について説明する。ここで、会員が「ＷｅｂサイトＩＤを選択する」ことは、ＷｅｂサイトＩＤを入力する概念に含まれる。
【０００７】
まず、第１の実施の形態の概略構成図を図１に示す。
本実施の形態の情報提供装置は、情報管理装置１０、記憶装置１１、通信管理装置２２ａ〜２２ｄ、端末装置２０ａ〜２０ｄ等により構成されている。情報管理装置１０、通信管理装置２２ａ〜２２ｄ等は、インターネット等の通信回線４０により接続されている。
図１に示されている端末装置２０ａ〜２０ｃは、それぞれ通信事業者Ａ〜Ｃにより通信が管理されている携帯電話機である。端末装置２０ａ〜２０ｃと情報管理装置１０との間の通信は、通信回線４０、各端末装置２０ａ〜２０ｃの通信を管理している通信事業者Ａ〜Ｃの通信管理装置２２ａ〜２２ｃ及び基地局２１ａ〜２１ｃを介して行われる。また、端末装置２０ｄは、通信事業者Ｄにより通信が管理されているパソコンである。端末装置２０ｄと情報管理装置１０との間の通信は、通信回線４０、端末装置２０ｄの通信を管理している通信事業者Ｄの通信管理装置２２ｄを介して行われる。
なお、端末装置２０ａ〜２０ｄと通信管理装置２２ａ〜２２ｄとの間の通信は、図１に示した通信経路以外にも種々の通信経路を介して実行可能である。
また、図１では、記憶装置１１を情報管理装置１１に接続しているが、記憶装置１１は、情報管理装置１０がアクセス可能に設けられていればよく、インターネット４０に接続されていてもよい。
本実施の形態の端末装置２０ａ〜２０ｄが、本発明の「情報受信手段」に対応する。
【０００８】
情報管理装置１０は、端末装置２０ａ〜２０ｄへのメールの送信処理等を実行するメール処理手段１０ａ、端末装置２０ａ〜２０ｄからのＷｅｂサイトに掲載されている情報（すなわち、Ｗｅｂサイトを構成する各Ｗｅｂページの情報）（以下、「Ｗｅｂサイト情報」という。）の送信要求に応答してＷｅｂサイト情報を送信するＷｅｂサイト情報送信処理等を実行するＷｅｂサイト情報処理手段１０ｂを備えている。そして、Ｗｅｂサイト情報処理手段１０ｂは、端末装置２０ａ〜２０ｄからのＷｅｂサイト情報の送信要求を受信するＷｅｂサイト受信手段１０ｂ１と、当該Ｗｅｂサイト情報が複数の部分情報（Ｗｅｂページ）で構成されているか否かを判別する部分情報判別手段１０ｂ２と、当該会員にＷｅｂサイト情報を送信するＷｅｂサイト送信手段１０ｂ３と、後述する記憶装置１１の会員情報データベース１１ａのアクセス履歴情報１１ａＡを更新するアクセス履歴情報更新手段１０ｂ４を備えている。
なお、メール処理手段１０ａ、Ｗｅｂサイト情報処理手段１０ｂは、ソフトウェアで構成してもよいし、ハードウェアで構成してもよい。また、情報管理装置１０は、１つの処理装置（ＣＰＵ）で構成してもよいし、複数の処理装置（ＣＰＵ）で構成してもよい。また、分散して配置した複数の処理装置（ＣＰＵ）で構成してもよい。
情報管理装置１０（したがって、メール処理手段１０ａ、Ｗｅｂサイト情報処理手段１０ｂ）がアクセス可能な記憶装置１１には、会員情報データベース１１ａ、情報データベース１１ｂ等が設けられている。なお、会員情報データベース１１ａ、情報データベース１１ｂ等は、共通の記憶装置に設けてもよいし、別々の記憶装置に設けてもよい。
【０００９】
次に、記憶装置１１に設けられている会員情報データベース１１ａ、情報データベース１１ｂについて説明する。
会員情報データベース１１ａの１例を図２に示す。図２に示す会員情報データベース１１ａには、情報管理装置１０から提供されるＷｅｂサイト情報の受信を希望するユーザー（以下では、「会員」という）の会員情報が各会員の会員識別情報としての会員ＩＤ（ｓ１）に対応させて記憶されている。
図２に示す会員情報データベース１１ａでは、会員情報として、メールの送信先を示すメールアドレス（ｓ２）、氏名（ｓ３）、性別（ｓ４）、住所（ｓ５）、生年月日（ｓ６）、職業（ｓ７）、会員がアクセスしたＷｅｂサイトのＷｅｂサイト識別情報としてのＷｅｂサイトＩＤと、アクセスした日時を示すアクセス履歴（ｓ８）等が用いられる。
例えば、会員ＩＤ［１００１］の会員（ユーザー）は、メールアドレスが［１００１＠ａａａ．ｎｅ．ｊｐ］、氏名が［○○○○］、性別が［男］、生年月日が［１９８２／０２／１７］、職業が［学生］であり、２００３年３月２５日にＷｅｂサイトＩＤ[ｈｔｔｐ：／／ｗｗｗ．ｐ００１］のＷｅｂサイトに、２００３年６月２８日に再びＷｅｂサイトＩＤ[ｈｔｔｐ：／／ｗｗｗ．ｐ００１］のＷｅｂサイトにアクセスしている。
なお、会員識別情報としては、会員ＩＤに限定されず、メールアドレスや氏名等を用いることもできる。
また、アクセス履歴情報（１１ａＡ）に記憶されているアクセス履歴（ｓ８）のアクセス先のＷｅｂサイトを示すＷｅｂサイト識別情報としては、ＷｅｂサイトＩＤに限定されず、例えば、Ｗｅｂサイトのアドレスやタイトル等でもよい。
また、アクセス履歴情報１１ａＡは、会員情報データベース１１ａとは別のデータベースとして記憶装置１１に設けてもよい。
アクセス履歴（ｓ８）に記憶されるのは、情報管理装置１０が、端末装置からＷｅｂサイトＩＤを受信した時でもよいし、情報管理装置１０がＷｅｂサイト情報を送信した時でもよい。情報管理装置１０がＷｅｂサイトＩＤを受信した時に記憶する場合には、Ｗｅｂサイト情報処理手段１０ａがビジー状態で、実際にはＷｅｂサイト情報を端末装置に送信できなかった場合でもアクセス履歴（ｓ８）として残る。
本実施の形態のアクセス履歴情報１１ａＡに記憶されているアクセス履歴（ｓ８）が本発明の「アクセス履歴情報データベース」に対応する。
【００１０】
次に、情報データベース１１ｂの１例を図３に示す。図３に示す情報データベースには、情報提供装置が提供するＷｅｂサイト情報（ｔ８）と、Ｗｅｂサイト情報に関連する関連情報（ｔ２）〜（ｔ７）、（ｔ９）が情報識別情報としての情報ＩＤ（ｔ１）に対応させて記憶されている。
図３に示す情報データベースでは、関連情報として、Ｗｅｂサイト情報のタイトル（ｔ２）、Ｗｅｂサイト情報が掲載されているＷｅｂサイトＩＤ（Ｗｅｂサイト識別情報。例えば、Ｗｅｂサイトのトップページ（ホームページ）のアドレス）（ｔ３）、Ｗｅｂサイト情報が複数の部分情報（Ｗｅｂページ）により構成されている場合における各部分情報が掲載されている部分ＷｅｂサイトＩＤ（部分Ｗｅｂサイト識別情報。例えば、Ｗｅｂサイトの１ページ目や２ページ目のアドレス）（ｔ３ａ）、情報提供者を示す情報提供者ＩＤ（ｔ４）及び情報提供者コード（ｔ５）、Ｗｅｂサイト情報を送信先（会員）にメール等で送信する場合の送信条件（例えば、情報提供者が設定した送信開始日時）（ｔ６）、Ｗｅｂサイト情報をメール等で送信する場合の送信先（会員）を選択するための送信先選択条件情報（ｔ７）、そして、例えば、案内メールに掲載するＷｅｂサイト情報の要約（ｔ１０）が記憶されている。
例えば、情報ＩＤ［Ｐ００１］のＷｅｂサイト情報（ｔ８）は、ＷｅｂサイトＩＤ［ｈｔｔｐ：／／ｗｗｗ．ｐ００１］のＷｅｂサイトに掲載されている。情報ＩＤ［Ｐ００１］のＷｅｂサイト情報（ｔ８）は、３つの部分情報（３つのＷｅｂページ）（ｔ８Ａ〜ｔ８Ｃ）により構成されている。部分情報（ｔ８Ａ）はＷｅｂサイト情報（ｔ８）のトップページ（１ページ目）（部分ＷｅｂサイトＩＤ［ｈｔｔｐ：／／ｗｗｗ．ｐ００１／ｎ１］）に、部分情報（ｔ８Ｂ）はＷｅｂサイト情報（ｔ８）の２ページ目（部分ＷｅｂサイトＩＤ［ｈｔｔｐ：／／ｗｗｗ．ｐ００１／ｎ２］）に、部分情報（ｔ８Ｃ）はＷｅｂサイト情報（ｔ８）の３ページ目（部分ＷｅｂサイトＩＤ［ｈｔｔｐ：／／ｗｗｗ．ｐ００１／ｎ３］）に掲載されている。Ｗｅｂサイト情報（ｔ８）の情報提供者ＩＤ（ｔ４）は［Ｋ０００１］であり、情報提供者コード（ｔ５）は［Ｘ００１］であることともに、タイトル（ｔ２）、送信条件（ｔ６）、送信先選択条件（ｔ７）、Ｗｅｂサイト情報の要約（ｔ９）が記憶されている。
このように、部分情報（ｔ８Ａ）〜（ｔ８Ｃ）に対応して部分ＷｅｂサイトＩＤが設けられており、部分ＷｅｂサイトＩＤを指定すれば、対応する部分情報を取得可能であるのが好ましいが、部分情報（ｔ８Ａ）〜（ｔ８Ｃ）に対応して共通のＷｅｂサイトＩＤが設けられていて、部分情報（ｔ８Ａ）〜（ｔ８Ｃ）を、例えば、ページ数で区別してもよい。
ここで、  情報提供者ＩＤは管理用として用いられ、情報提供者コードは端末装置の表示用として用いられる。勿論、情報提供物ＩＤ及び情報提供者コードとして同じ情報を用いることもできる。
また、送信先選択条件としては、会員情報データベースに記憶されている種々の会員情報を用いることができる。
情報ＩＤや情報提供者コードは、情報の種類（例えば、飲食、書籍販売、食品販売等に関連する情報）を判別可能に設定するのが好ましい。
【００１１】
次に、本実施の形態の動作を説明する。
情報管理装置１０からＷｅｂサイト情報の受信を希望するユーザーは、例えば、本情報提供サービスへの入会用のＷｅｂページのアドレスにアクセスし、所定の会員情報を入力することによって会員登録を行う。これにより、記憶装置１１の会員情報データベース１１ａに、会員識別情報（会員ＩＤ）（ｓ１）に対応して、会員情報（ｓ２）〜（ｓ７）が記憶される。会員ＩＤ（ｓ１）は、例えば、会員情報（ｓ２）〜（ｓ７）を入力する際に自動的に付与される。
一方、情報提供者は、会員への送信を希望するＷｅｂサイト情報（ｔ８）、及びタイトル（ｔ２）、及びＷｅｂサイト情報の要約（ｔ９）を入力する。これらの情報を入力する方法としては、情報提供者がパソコンを用いて入力する方法や情報提供サービス会社の担当者が情報管理装置１０に設けられている入力手段を用いて入力する方法等を用いることができる。また、ＷｅｂサイトＩＤ（ｔ３）を含むメールを送信する会員を選択する場合には、送信先選択条件を入力する。例えば、住所（ｓ５）に所定地区の住所が記憶され、生年月日（ｓ６）に所定範囲の生年月日が記憶され、性別（ｓ４）に男が記憶されている会員を選択する送信先選択条件（ｔ７）を入力する。また、メールを送信開始する日時を指定する場合には、送信日時を送信条件（ｔ６）として入力する。
また、情報ＩＤ（ｔ１）、情報提供者ＩＤ（ｔ４）、情報提供者コード（ｔ５）については、情報管理装置１０で自動的に付与されることが好ましい。
これにより、記憶装置１１の情報データベース１１ｂに、Ｗｅｂサイト情報（ｔ８）とＷｅｂサイト関連情報（ｔ１）〜（ｔ７）、（ｔ９）が記憶される。
【００１２】
この状態で、情報データベース１１ｂに記憶されているＷｅｂサイト情報の送信条件（ｔ６）が満足されると（例えば、送信日時に設定されている送信開始日時に達すると）、送信条件（ｔ６）が満足されたＷｅｂサイト情報に対応するＷｅｂサイトＩＤを含むメール(案内メール)を送信する。本実施の形態では、ＷｅｂサイトＩＤとして、送信条件（ｔ６）が満足されたＷｅｂサイト情報が掲載されているＷｅｂサイトのトップページのアドレスを用いている。ここで、送信条件（ｔ６）が満足されたＷｅｂサイト情報に送信先選択条件（ｔ７）が設定されている場合（例えば、２０歳代で、名古屋市に居住している女性等）には、送信先選択条件（ｔ７）を満足する会員情報を有する会員に対応するメールアドレス（ｓ２）を、会員情報データベース１１ａから読み出す。そして、読み出したメールアドレス（ｓ２）に案内メールを送信する。送信先選択条件（ｔ７）が設定されていない場合には、各会員に対応するメールアドレスを、会員情報データベース１１ａから読み出す。そして、各会員のメールアドレス（ｓ２）に案内メールを送信する。
さらに、案内メールを送信するメールアドレスに対応する会員識別情報（ｓ１）も送信する。
案内メールで送信する情報は、本実施の形態に限定されず種々の情報を選択することができる。
以上の案内メール送信処理は、情報管理装置１０のメール処理手段１０ａが実行する。
【００１３】
情報管理装置１０から送信されたメールは、インターネット４０、通信管理装置２２ａ〜２２ｄを介して端末装置２０ａ〜２０ｄに送信される。いま、端末装置２０ａがメールを受信したものとする。このメールの受信処理は、端末装置２０ａの受信手段（図示していない。）が実行する。
端末装置２０ａは、情報管理装置１０から送信された案内メールを受信すると、表示手段に案内メール受信画面を表示する。案内メール受信画面の１例を図４に示す。この案内メールの表示処理は、端末装置２０ａの表示手段（図示していない。）が実行する。
図４に示すメール受信画面には、メールに含まれている、Ｗｅｂサイト情報（ｔ８）が掲載されているＷｅｂサイトＩＤ（ｔ３）及びタイトル（例えば、店舗名や会社名）（ｔ２）、情報提供者コード（例えば、店舗コードや会社コード）（ｔ５）、Ｗｅｂサイト情報の要約（ｔ１０）が表示されている。案内メール受信画面は、前後にスクロール可能である。
なお、図４に示す案内メール受信画面では、案内メールで送信された会員識別情報は表示されない場合が多い。
【００１４】
会員は、端末装置２０ａの表示手段に案内メール受信画面が表示されている情報を確認した後、Ｗｅｂサイト情報が掲載されているＷｅｂサイトＩＤ（ｔ３）の中から所定のＷｅｂサイトＩＤを入力キーを用いて選択する。例えば、会員が、ＷｅｂサイトＩＤ［ｈｔｔｐ：／／ｗｗｗ．ｐ００１］を選択したものとする。
これにより、端末装置２０ａは、選択されたＷｅｂサイトＩＤ［ｈｔｔｐ：／／ｗｗｗ．ｐ００１］を、案内メールで受信した会員識別情報とともに端末装置２０ａの通信を管理している通信事業者Ａの通信管理装置２２ａに送信する。以上、選択されたＷｅｂサイトＩＤの通信管理装置２２ａへの送信処理は、端末装置２０ａの送信手段（図示していない。）が実行する。
通信管理装置２２ａは、端末装置２０ａから送信されたＷｅｂサイトＩＤ［ｈｔｔｐ：／／ｗｗｗ．ｐ００１］と会員識別情報をインターネット４０を介して情報管理装置１０に送信する。
【００１５】
情報提供装置は、通信管理装置２２ａを介して端末装置２０ａから送信されたＷｅｂサイトＩＤ［ｈｔｔｐ：／／ｗｗｗ．ｐ００１］の受信に応答して、図５のフローチャート図に示す処理を実行する。
ステップＳ１０では、Ｗｅｂサイト情報処理手段１０ｂのＷｅｂサイト受信手段１０ｂ１が、ＷｅｂサイトＩＤを受信したか否かを判別する。ＷｅｂサイトＩＤを受信していない場合には（Ｎｏ）、待機する。ＷｅｂサイトＩＤを受信している場合には（Ｙｅｓ）、ステップＳ１２に進む。
ステップＳ１２では、Ｗｅｂサイト受信手段１０ｂ１が、ＷｅｂサイトＩＤとともに会員ＩＤ（会員識別情報）も受信したか否かを判別する。会員ＩＤも受信していれば（Ｙｅｓ）、ステップＳ１４に進む。例えば、端末装置に送信した案内メールに含まれているＷｅｂサイトＩＤを選択することによってＷｅｂサイトにアクセスする場合には、選択されたＷｅｂサイトＩＤとともに案内メールで受信した会員ＩＤが送信される。この場合には、会員ＩＤの問い合わせは行われない。一方、会員がＷｅｂサイトＩＤを入力キーを用いて入力する場合には、会員ＩＤの問い合わせを行う必要がある。このため、ＷｅｂサイトＩＤとともに会員ＩＤを受信していなければ、ステップＳ１３に進む。
ステップＳ１３では、会員ＩＤの問い合わせを行う。例えば、メール処理手段１０ａにより、端末装置に問い合わせのメールを送信する。会員が端末装置の入力手段を用いて会員ＩＤを入力すると、端末装置２０ａは、当該入力された会員ＩＤを情報管理装置１０に送信する。
【００１６】
ステップＳ１４では、Ｗｅｂサイト情報処理手段１０ｂの部分情報判別手段１０ｂ２は、受信したＷｅｂサイトＩＤに対応する部分ＷｅｂサイトＩＤが情報データベース１１ｂに存在するか否かを判別する。部分ＷｅｂサイトＩＤが存在すれば、受信したＷｅｂサイトＩＤに対応するＷｅｂサイト情報（ＷｅｂサイトＩＤで示されるＷｅｂサイトに掲載されるＷｅｂサイト情報）が、複数の部分情報で構成されていることを判別する。また、部分ＷｅｂサイトＩＤが存在しなければ、受信したＷｅｂサイトＩＤに対応するＷｅｂサイト情報は、複数の部分情報で構成されていないことを判別する。そして、複数の部分情報により構成されていれば（Ｙｅｓ）、（例えば、受信したＷｅｂサイトＩＤが［ｈｔｔｐ：／／ｗｗｗ．ｐ００１］である場合、図３に示すように、Ｗｅｂサイト情報は３つの部分情報で構成されている。）ステップＳ１６に進む。また、複数の部分情報で構成されていなければ（Ｎｏ）、（例えば、受信したＷｅｂサイトＩＤが［ｈｔｔｐ：／／ｗｗｗ．ｐ００４］である場合、図３に示すように、Ｗｅｂサイト情報はトップページのみで構成されており複数の部分情報で構成されていない。）ステップＳ１５に進む。
ステップＳ１５では、Ｗｅｂサイト情報（例えば、Ｗｅｂサイト情報（ｔ８Ｄ））を記憶装置１１の情報データベース１１ｂから読み出して通信管理装置２２ａに送信する。通信管理装置２２ａは、情報管理装置１０から送信されたＷｅｂサイト情報を端末装置２０ａに送信する。そして、リターンする。
また、ステップＳ１６では、Ｗｅｂサイト情報処理手段１０ｂのＷｅｂサイト送信手段
１０ｂ３は、当該会員ＩＤに対応する会員の当該ＷｅｂサイトＩＤに対応するＷｅｂサイトへのアクセス履歴（ｓ８）を、会員情報データベース１１ａから読み出す。そして、過去３ヶ月以内に当該会員ＩＤに対応する会員が当該ＷｅｂサイトＩＤに対応するＷｅｂサイトにアクセスしているか否かを調べる。
例えば、受信した会員ＩＤが［１００１］であり、ＷｅｂサイトＩＤが［ｈｔｔｐ：／／ｗｗｗ．ｐ００１］であり、現在が２００３年８月２１日であるものとする。図２に示すアクセス履歴（ｓ８）では、会員ＩＤ［１００１］の会員は、ＷｅｂサイトＩＤ［ｈｔｔｐ：／／ｗｗｗ．ｐ００１］のＷｅｂサイトに、２００３年３月２５日と、２００３年６月２８日にアクセスしている。このため、過去３ヶ月以内にアクセスがあったことを判別（Ｙｅｓ）し、ステップＳ２０に進む。
一方、過去３ヶ月以内に、当該会員ＩＤに対応する会員が当該ＷｅｂサイトＩＤに対応するＷｅｂサイトにアクセスしていなければ（Ｎｏ）、ステップＳ１８に進む。
ステップＳ１０〜ステップＳ２２に示す各処理のうち、ステップＳ１０〜ステップＳ１３の処理は、本発明の情報提供装置の「Ｗｅｂサイト受信手段」が実行する。また、ステップＳ１４の処理は「部分情報判別手段」が、ステップＳ１５，Ｓ１６，Ｓ１８，Ｓ２０の処理は「Ｗｅｂサイト送信手段」が、ステップＳ２２の処理は「アクセス履歴情報更新手段」が実行する。なお、各処理を実行する手段は、適宜変更可能である。
【００１７】
ステップＳ１８では、Ｗｅｂサイト情報処理手段１０ｂのＷｅｂサイト送信手段１０ｂ３は、当該Ｗｅｂサイトを構成するＷｅｂページのトップページに掲載されている部分情報（１ページ目のＷｅｂページの情報、例えば、部分情報（ｔ８Ａ））を記憶装置１１の情報データベース１１ｂから読み出して通信管理装置２２ａに送信する。通信管理装置２２ａは、情報管理装置１０から送信された部分情報を端末装置２０ａに送信する。そして、リターンする。このように、所定期間内に当該Ｗｅｂサイトに当該会員がアクセスしていなければ、当該会員は、一度も当該Ｗｅｂサイトにアクセスしたことがなく当該Ｗｅｂサイト情報の内容を知らないか、もしくは、アクセスした時点から所定期間が経過しており、当該Ｗｅｂサイト情報の内容を忘れている可能性が高い。例えば、店舗の広告情報を掲載しているＷｅｂサイトである場合、多くは、トップページには店舗の紹介等（認知のための情報）が掲載されていて、２ページ目に店舗の住所等（活用のための情報）が掲載されている。会員は、当該Ｗｅｂサイト情報の内容を知らないか、もしくは覚えていない可能性が高いので、トップページの部分情報が送信される。
また、ステップＳ２０では、Ｗｅｂサイト情報処理手段１０ｂのＷｅｂサイト送信手段１０ｂ３は、当該Ｗｅｂサイトを構成するＷｅｂページの２ぺージ目に掲載されている部分情報（２ページ目のＷｅｂページの情報、例えば、部分情報（ｔ８Ｂ）を記憶装置１１の情報データベース１１ｂから読み出して通信管理装置２２ａに送信する。通信管理装置２２ａは、情報管理装置１０から送信された部分情報を端末装置２０ａに送信する。
また、ステップＳ２２では、Ｗｅｂサイト情報処理手段１０ｂのアクセス履歴情報更新手段１０ｂ４は、当該会員がアクセスしたＷｅｂサイトＩＤとアクセスした日時を示すアクセス履歴情報１１ａＡを更新し、リターンする。
このように、所定期間内に当該Ｗｅｂサイトに当該会員からアクセスがあれば、当該会員は、当該Ｗｅｂサイト情報の内容を覚えている可能性が高い。このような場合、会員は、トップページの部分情報を受信しても不要であると判別することが多い。例えば、店舗の広告情報を掲載しているＷｅｂサイトである場合、多くは、トップページには店舗の紹介等（認知のための情報）が掲載されていて、２ページ目に店舗の住所等（活用のための情報）が掲載されている。会員は、当該Ｗｅｂサイト情報の内容を覚えている可能性が高く、店舗の存在等の概要は認知しているものの、実際に、当該店舗に行くために住所等を知りたい場合、トップページの部分情報は不要であると感ずることが多い。そこで、トップページの部分情報ではなく、２ページ目の部分情報が送信される。
【００１８】
端末装置２０ａは、受信手段（図示していない。）で、通信管理装置２２ａから送信されたＷｅｂサイト情報、あるいは部分情報を受信すると、表示手段（図示していない。）で、表示手段にＷｅｂサイト情報受信画面を表示する。
図６に示すＷｅｂサイト情報受信画面を用いて、受信手段で受信したトップページの部分情報（ｔ８Ａ）の表示例を説明する。
図６に示すＷｅｂサイト情報受信画面には、トップページの部分情報が掲載されている部分ＷｅｂサイトＩＤ［ｈｔｔｐ：／／ｗｗｗ．ｐ００１／ｎ１］（ｔ３ａ）及びタイトル（店舗名等）（ｔ２）、部分情報の情報提供者コード（ｔ５）、紹介や説明文章とからなる部分情報（ｔ８Ａ）が表示されている。
また、次のページを表示するための次頁キーが設けられている。
【００１９】
次に、図７に示すＷｅｂサイト情報受信画面を用いて、２ページ目の部分情報（ｔ８Ｂ）の表示例を説明する。
図７に示すＷｅｂサイト情報受信画面には、２ページ目の部分情報が掲載されている部分ＷｅｂサイトＩＤ［ｈｔｔｐ：／／ｗｗｗ．ｐ００１／ｎ２］（ｔ３ａ）及びタイトル（ｔ２）、部分情報の提供者コード（ｔ５）、紹介や説明文章とからなる部分情報（ｔ８Ｂ）が表示されている。
また、次のページを表示するための次頁キー、トップページへ戻るためのキーが設けられている。
また、会員が、次頁キーを選択すると、当該Ｗｅｂページの３ページ目が表示される。
図７に示すＷｅｂサイト情報受信画面には、３ページ目の部分情報が掲載されている部分ＷｅｂサイトＩＤ［ｈｔｔｐ：／／ｗｗｗ．ｐ００１／ｎ３］（ｔ３ａ）及びタイトル（ｔ２）、部分Ｗｅｂサイト情報の情報提供者コード（ｔ５）、紹介や説明文章とからなる部分情報（ｔ８Ｃ）が表示されている。
また、前頁に戻るための前頁キー、トップページへ戻るためのキーが設けられている。
このように、Ｗｅｂサイト情報を掲載しているＷｅｂサイトが複数のＷｅｂページにより構成されている場合や、関連する他のＷｅｂページへのリンクを可能とする場合には、Ｗｅｂサイト情報受信画面に他のページへのリンク情報や関連するＷｅｂページへのリンク情報が表示される。
なお、トップページに掲載されている情報が本発明の第１の部分情報に対応し、２ページ目に掲載されている情報が本発明の第２の部分情報に対応する。
以上のＷｅｂサイト情報送信処理は、情報管理装置１０のＷｅｂサイト情報処理手段１０ｂが実行する。
【００２０】
なお、本実施の形態では、アクセス履歴情報の一定条件として、所定期間内(実施の形態では、３ヶ月)にアクセス履歴がない場合にはＷｅｂサイトのトップページを、アクセス履歴がある場合には、Ｗｅｂサイトの２ページ目を端末装置に表示させたが、所定期間内のアクセスが所定回数未満の場合にはＷｅｂサイトのトップページを、所定回数以上の場合にはＷｅｂサイトの２ページ目を端末装置に表示させるように構成してもよい。これによれば、情報管理装置１０がアクセス履歴を判別する処理が容易である。
また、本実施の形態では、情報管理装置１０が受信したＷｅｂサイトＩＤのＷｅｂサイトに掲載されているＷｅｂサイト情報が３ページの部分情報（ｔ８Ａ）〜（ｔ８Ｃ）より構成されており、なおかつ、当該ＷｅｂサイトＩＤを送信した会員が過去所定期間内に当該Ｗｅｂサイトにアクセスしたことがあることを判別した場合、２ページ目の部分情報（ｔ８Ｂ）を当該会員の端末装置に送信しているが、例えば、このようにＷｅｂサイトが３ページ以上の部分情報から構成されている場合、３ページ以降の所定のページの部分情報を送信する構成としてもよい。すなわち、端末装置に表示させるＷｅｂページは適宜選択することができる。
さらに、会員のアクセス履歴に基づいて送信する部分情報を段階的に設定してもよい。例えば、会員が、当該Ｗｅｂサイトに所定期間内に２以上回数アクセスしていれば３ページ目の、１回アクセスしていれば２ページ目の、１回もアクセスしていなければトップページの部分情報を送信する構成としてもよい。これによれば、会員に応じた部分情報を、一層好適に抽出することができる。
また、各Ｗｅｂページに掲載されている情報を、Ｗｅｂサイト部分情報として説明したが、Ｗｅｂページに掲載されている情報の一部を部分情報として用いることもできる。
【００２１】
なお、本実施の形態では、会員がＷｅｂサイトＩＤを含む案内メールに応答してＷｅｂサイトにアクセスする場合について説明したが、請求項１に記載の情報提供装置は、例えば、会員が端末装置２０ａ〜２０ｃに設けられているＷｅｂブラウザ等を用いてＷｅｂサイトＩＤを直接入力してＷｅｂサイトにアクセスする場合にも適用することができる。例えば、会員は、端末装置２０ａ〜２０ｃのキー等を用いてＷｅｂサイトＩＤ［ｈｔｔｐ：／／ｗｗｗ．ｐ００１］を入力し、情報管理装置１０に送信する。
この場合、情報管理装置１０は、会員識別情報を同時に受信することはできない（前述した案内メールには、会員識別情報が付して送信され、会員が返信することで、自動的に会員識別情報も送信している。）。そこで、このような場合、図５のフローチャートのステップＳ１３で示したように、会員識別情報の問い合わせ処理を実施する。このようにして、会員の会員識別情報が送信されることで、情報管理装置１０は、アクセス履歴情報を参照し、当該Ｗｅｂサイトへのアクセス履歴に基づいて第１あるいは第２の部分情報を抽出して、端末装置に送信することができる。
【００２２】
（第２の実施の形態）
前述した第１の実施の形態では、会員が端末装置２０ａ〜２０ｃからＷｅｂサイトＩＤを送信して会員がＷｅｂサイトにアクセスした際に、会員のアクセス履歴（ｓ８）に基づいて部分情報を読み出したが、第２の実施の形態では、案内メールを送信する際に、案内メールを送信する会員のアクセス履歴（ｓ８）に基づいて、部分情報を掲載している部分ＷｅｂサイトＩＤ（ｔ３ａ）を送信する。本実施の形態の情報提供装置は、請求項３に記載の情報提供装置に相当する。
本実施の形態では、図１に示す、情報管理装置１０のメール処理手段１０ａに、部分情報判別手段とメール送信手段とが設けられている。そして、部分情報判別手段で、案内メールで送信するＷｅｂサイトＩＤ（ｔ３）に対応する部分ＷｅｂサイトＩＤ（ｔ３ａ）が情報データベース１１ｂに存在するか否かを判別する。部分ＷｅｂサイトＩＤ（ｔ３ａ）が存在すれば、メール送信手段で、メールを送信する会員の所定期間内における当該Ｗｅｂサイトへのアクセス回数が所定回数以上であるか否かを判別する。メール送信手段は、メールを送信する会員の所定期間内における当該Ｗｅｂサイトへのアクセス回数が所定回数未満であれば、トップページの部分ＷｅｂサイトＩＤ（ｔ３ａ）を送信し、所定回数以上であれば２ページ目の部分ＷｅｂサイトＩＤ（ｔ３ａ）を送信する。この方法を用いれば、部分情報を掲載している部分ＷｅｂサイトＩＤ（ｔ３ａ）を案内メールで送信するため、部分情報を送信する際の情報管理装置１０の処理が軽減される。また、会員は、部分情報を、迅速に受信することができる。
【００２３】
第１の実施の形態の部分情報判別手段１０ｂ２は、会員がＷｅｂサイトにアクセスした際に、会員の端末装置から受信したＷｅｂサイトＩＤ（ｔ３）に対応する部分ＷｅｂサイトＩＤ（ｔ３ａ）が情報データベース１１ｂに存在するか否かを判別した。また、第２の実施の形態の部分情報判別手段は、会員の端末装置に案内メールでＷｅｂサイトＩＤを送信する際に、送信するＷｅｂサイトＩＤ（ｔ３）に対応する部分ＷｅｂサイトＩＤ（ｔ３ａ）が情報データベース１１ｂに存在するか否かを判別した。なお、部分情報判別手段は、会員がＷｅｂサイトにアクセスした際、及び会員の端末装置に案内メールでＷｅｂサイトＩＤを送信する際の両方の場合に用いることができる構成にしてもよい。
【００２４】
なお、本発明は、実施の形態で説明した構成に限定されず種々の変更、追加、削除が可能である。
また、実施の形態では、端末装置２０ａ〜２０ｄの通信を管理する通信管理装置２２ａ〜２１ｄを用いた通信装置に本発明を適用した場合について説明したが、本発明は、通信管理装置２２ａ〜２２ｄが設けられていない通信装置に対しても適用することができる。
また、会員情報データベース、情報データベース、課金情報データベースの構成は、実施の形態で説明した構成に限定されず、種々の構成を用いることができる。
【００２５】
また、送信する情報（Ｗｅｂサイト情報）は、店舗の紹介等の広告の情報に限定されるものではない、
また、実施の形態では、端末装置が携帯電話機の場合について説明したが、端末装置はＰＣ等でもよい。
また、情報管理装置が案内メールを送信する会員の端末装置は固有識別情報（例えば、ＩＰアドレス）を有し、Ｗｅｂサイト識別情報とともに固有識別情報を送信するように構成してもよい。これによれば、情報管理装置は、端末装置からＷｅｂサイト識別情報とともに受信する固有識別情報によって、端末装置（したがって、通信事業者の種別や会員等）を判別可能となるため、送信する案内メールに会員ＩＤを含める必要がなく、図５に示すステップＳ１３のように、会員ＩＤを問い合わせる処理も必要がなく、情報管理装置の処理が容易となる。さらに、会員は、会員ＩＤを入力する必要もない。
【図面の簡単な説明】
【００２６】
【図１】本発明の第１の実施の形態の概略構成図である。
【図２】会員情報データベースの１例を示すである。
【図３】情報データベースの１例を示す図である。
【図４】案内メール受信画面の１例を示す図である。
【図５】情報管理装置１０が実行する処理を示すフローチャート図である。
【図６】トップページの部分情報の情報受信画面の１例を示す図である。
【図７】２、３ページ目の部分情報の情報受信画面の１例を示す図である。
【符号の説明】
【００２７】
１０                            情報管理装置
１０ａ                          メール処理手段
１０ｂ                          Ｗｅｂサイト情報処理手段
１０ｂ１                        Ｗｅｂサイト受信手段
１０ｂ２                        部分情報判別手段
１０ｂ３                        Ｗｅｂサイト送信手段
１０ｂ４                        アクセス履歴更新手段
１１                            記憶装置
１１ａ                          会員情報データベース
１１ａＡ                        アクセス履歴情報
１１ｂ                          情報データベース
２０ａ，２０ｂ，２０ｃ，２０ｄ  端末装置
４０                            通信回線（インターネット）
【図１】
2005267229.tif 000003
【図２】
2005267229.tif 000004
【図３】
2005267229.tif 000005
【図４】
2005267229.tif 000006
【図５】
2005267229.tif 000007
【図６】
2005267229.tif 000008
【図７】
2005267229.tif 000009